(57)【要約】【課題】張材に力を加えるための部材を好適に隠蔽した格調高い椅子の背凭れを実現する。【解決手段】背凭れを、着座者の身体を支持する支持面を構成する張材１と、着座者の荷重を受ける支持本体２と、前記支持本体２から前方に迫り出し前記張材１が架設されるとともに、張材１に力を加えるための部材４１、４２を配設可能な空間領域を張材１と支持本体２との間に形成する架設フレーム３とを具備してなるものとした。  【選択図】図１
2009082528.tif 000002
【特許請求の範囲】
【請求項１】
着座者の身体を支持する支持面を構成する張材と、
着座者の荷重を受ける支持本体と、
前記支持本体から前方に迫り出し前記張材が架設されるとともに、張材に力を加えるための部材を配設可能な空間領域を張材と支持本体との間に形成する架設フレームと
を具備する椅子の背凭れ。
【請求項２】
前記張材に張力を加えるための部材として、流体の流出入を受けて拡縮する流体袋を配設している請求項１記載の椅子の背凭れ。
【請求項３】
前記流体袋を複数個配設している請求項２記載の椅子の背凭れ。
【請求項４】
前記流体袋の幅寸法が、前記架設フレームにおける左右に対をなすフレーム要素の離間距離よりも小さい請求項３記載の椅子の背凭れ。
【請求項５】
前記支持本体の幅寸法が、前記架設フレームにおける左右に対をなすフレーム要素の離間距離よりも小さい請求項１、２、３または４記載の椅子の背凭れ。
【請求項６】
前記張材を前記架設フレームに巻き掛けてその縁部を背面側に導き前記支持本体に取着した請求項１、２、３、４または５記載の椅子の背凭れ。
【請求項７】
前記張材が、張材に張力を加えるための部材を視認可能な程度の透視性を有している請求項１、２、３、４、５または６記載の椅子の背凭れ。
【発明の詳細な説明】
【技術分野】
【０００１】
本発明は、オフィス等にて使用される椅子の背凭れに関する。
【背景技術】
【０００２】
伸縮性を有する張材をフレームに張り設けて支持面（背凭れ面）を形成した背凭れを備えている執務椅子が周知である（例えば、下記文献を参照）。
【特許文献１】特願２００６−０１１７２７号明細書
【非特許文献１】「ＦＯＳＴＥＲ」，コクヨ総合カタログ２００７年版ファニチャー編，コクヨ株式会社，平成１８年１２月，ｐ．３０２−３０５
【発明の開示】
【発明が解決しようとする課題】
【０００３】
上記例の椅子では、張材の背面側、着座者の腰部に対応する高さ位置に、ランバーサポートベルトを架け渡すことが可能である。ランバーサポートベルトの存在により、着座者が凭れたときに腰部近傍部位が後方に沈み込まないようになる。このように、張材に力を加えるための部材を配設して、座り心地に変化を与えることができる。
【０００４】
一方、張材の背面側に配設した部材は背面視露出することから、ともすれば椅子の格調を損なうおそれがある。
【０００５】
以上に鑑みてなされた本発明は、張材に力を加えるための部材を好適に隠蔽した格調高い椅子の背凭れを実現しようとするものである。
【課題を解決するための手段】
【０００６】
本発明に係る椅子の背凭れは、着座者の身体を支持する支持面を構成する張材と、着座者の荷重を受ける支持本体と、前記支持本体から前方に迫り出し前記張材が架設されるとともに、張材に力を加えるための部材（張材を押圧し、または引っ張ることで、張材のみでは実現できない座り心地を実現する部材ないし機構）を配設可能な空間領域を張材と支持本体との間に形成する架設フレームとを具備してなる。このようなものであれば、張材に力を加えるための部材を支持本体によって背面視好適に隠蔽し得る。
【０００７】
前記張材に張力を加えるための部材として、流体の流出入を受けて拡縮する流体袋を配設していれば、流体の流量または流体圧の制御を通じて張材の張力を任意に増減させることが可能となる。
【０００８】
前記流体袋を複数個配設していれば、各流体袋を個別に拡縮でき、背凭れの部分毎に座り心地を変化させることが可能となる。
【０００９】
前記流体袋の幅寸法が、前記架設フレームにおける左右に対をなすフレーム要素の離間距離よりも小さければ、流体袋の側縁と架設フレームとの間に空間を設けることができ、そこに流体を流通させる流路や流体を送出するポンプ等を配置できる。
【００１０】
また、前記支持本体の幅寸法が、前記架設フレームにおける左右に対をなすフレーム要素の離間距離よりも小さければ、支持本体の側縁と架設フレームとの間に通気路を設けることができ、通気性が高まる。
【００１１】
前記張材を前記架設フレームに巻き掛けてその縁部を背面側に導き前記支持本体に取着することで、支持本体の側縁と架設フレームとの間隙を張材によって遮蔽し得る。即ち、背凭れ内部を好適に隠蔽でき、家具としての美観が高まる。
【００１２】
前記張材が、張材に張力を加えるための部材を視認可能な程度の透視性を有していれば、張材のどの部位に力が作用するのかを着座者が確認可能となる。これにより、背凭れの機能を直感的に着座者に理解させることができ、使い勝手の向上に資する。
【発明の効果】
【００１３】
本発明によれば、張材に力を加えるための部材を好適に隠蔽した格調高い椅子の背凭れを実現できる。
【発明を実施するための最良の形態】
【００１４】
本発明の実施の形態を、図面を参照して説明する。図１ないし図５に示すように、本実施形態の椅子の背凭れは、着座者の身体を支持する支持面を構成する張材１と、着座者の身体の荷重を受ける支持本体２と、支持本体２より前方に張り出し張材１が架設される架設フレーム３と、張材１を後方から押圧する流体袋４１、４２とを具備してなる。
【００１５】
張材１は、合成繊維のダブルラッセルメッシュにさらにエラストマ糸等の弾性糸を編み込んだ（詳細には、それぞれ伸縮変形可能なメッシュ地の表布と裏布とをダブルラッセル編みで立体的に縫い合わせた）もので、伸縮性に富み、また強度とクッション性とを両備している。メッシュ状の張材１は、ある程度の通気性及び透視性を有する。
【００１６】
支持本体２は、硬質樹脂成形品の板状体である。支持本体２は、側面視中間部が前方に膨らみ、平面視中間部が後方に凹んでいる。また、背面視略方形状、より詳しくは下縁幅が上縁幅よりも狭い逆台形状をなしている。支持本体２の上縁の左右両側からは、上支持腕部２１、２２が延出している。上支持腕部２１、２２は、背面視斜め上方に突き出し、かつ前方に向かって湾曲している。支持本体２の下縁付近の部位の左右両側からも、下支持腕部２３、２４が延出している。下支持腕部２３、２４は、背面視斜め下方に突き出して伸長し、やはり前方に向かって湾曲している。
【００１７】
架設フレーム３は、左右のフレーム要素３２、３３及び上下のフレーム要素３１、３４が正面視四方枠状をなすもので、背凭れの前縁を形作る。左右のフレーム要素３２、３３は側面視前方に反った弓形をなし、上下のフレーム要素３１、３４は平面視後方に反った弓形をなす。架設フレーム３は、支持本体２に一体成形することができる。支持本体２は、支持腕部２１、２２、２３、２４を介して架設フレーム３の四隅を支持する。上支持腕部２１、２２の先端は、左右のフレーム要素３２、３３の上端と上フレーム要素３１の両側端との交差部に連なり、下支持腕部２３、２４の先端は、左右のフレーム要素３２、３３の下端と下フレーム要素３４の両側端との交差部に連なっている。また、支持本体２の下縁が、下フレーム要素３４の中間部に連接している。
【００１８】
下フレームの中間部を除き、支持本体２の前面は架設フレーム３の後面よりも後方に位置しており、両者の間には流体袋４１、４２を配設可能な空間領域が形成されている。支持本体２の幅寸法は左右のフレーム要素３２、３３の離間距離よりも小さく、支持本体２の左右両側縁と左右のフレーム要素３２、３３との間にはそれぞれ間隙２６、２７が存在する。これらは通気路として機能し、着座者の身体に密接する張材１の通気性を高める。支持本体２の上縁と上フレーム要素３１との間隙２５、並びに支持本体２の下縁付近の部位、下支持腕部２３、２４及び下フレーム要素３４によって包囲された間隙２８、２９についても同様である。
【００１９】
流体袋４１、４２は、流体、特に空気等の気体の流出入を受けて拡縮するものである。流体袋４１、４２は、支持本体２の前面側でバックアップさせる。本実施形態では、着座者の背上部に対応した高さ位置、及び着座者の腰部に対応した高さ位置に、個別に流体袋４１、４２を配設している。これら複数個の流体袋４１、４２は、背面視支持本体２により略隠蔽される外形をなす。図示例では、上下の流体袋４１、４２がともに背面視逆台形状をなしている。流体袋４１、４２の幅寸法は左右のフレーム要素３２、３３の離間距離よりも小さく、それらの側縁は支持本体２の側縁よりも内方にある。故に、流体袋４１、４２の左右両側縁と左右のフレーム要素３２、３３との間の空間に、流体袋４１、４２に連通する流路（パイプ、チューブ類）４３や、流路４３を介して流体袋４１、４２に流体を供給するポンプ（図示せず）等を配置することが可能になっている。
【００２０】
張材１を架設するにあたっては、図２及び図３に示しているように、張材１の上縁部を上フレーム要素３１に、側縁部を左右のフレーム要素３２、３３に、下縁部を下フレーム要素３４に、それぞれ取着する。その際、例えば、フレーム要素３１、３２、３３、３４の外方端部または内方端部に凹溝３０を形成しておき、この凹溝３０に張材１の縁部を嵌め入れて保定するようにする。あるいは、図４及び図５に示しているように、張材１の縁部を支持本体２に取着するようにしても構わない。図示例では、張材１を左右のフレーム要素３２、３３に巻き掛けて側縁部を背面側に導いた上、支持本体２の外側端部に形成した凹溝２０に嵌め入れて保定している。
【００２１】
因みに、本実施形態では、張材１を使用して流体袋４１、４２の外周を包囲する筒状部１１を設け、その筒状部１１を支持面を構成する他の部位に縫合している。筒状部１１と支持面との境界に沿って、張材１及び／または流体袋４１、４２を保形するためのワイヤ１２等を張り巡らせておくことも好ましい。
【００２２】
本実施形態の椅子の背凭れは、着座者の身体を支持する支持面を構成する張材１と、着座者の荷重を受ける支持本体２と、前記支持本体２から前方に迫り出し前記張材１が架設されるとともに、張材１に力を加えるための部材を配設可能な空間領域を張材１と支持本体２との間に形成する架設フレーム３とを具備してなることから、張材１に力を加えるための部材４１、４２を支持本体２によって背面視好適に隠蔽し得る。
【００２３】
前記張材１に張力を加えるための部材として、流体の流出入を受けて拡縮する流体袋４１、４２を配設してるため、流体の流量または流体圧の制御を通じて張材１の張力を任意に増減させることが可能となる。
【００２４】
前記流体袋４１、４２を複数個配設しているため、各流体袋４１、４２を個別に拡縮でき、背凭れの部分毎に座り心地を変化させることが可能となる。
【００２５】
前記流体袋４１、４２の幅寸法が、前記架設フレーム３における左右に対をなすフレーム要素３２、３３の離間距離よりも小さいため、流体袋４１、４２の側縁と架設フレーム３との間に空間を設けることができ、そこに流体を流通させる流路４３や流体を送出するポンプ等を配置できる。
【００２６】
また、前記支持本体２の幅寸法が、前記架設フレーム３における左右に対をなすフレーム要素３２、３３の離間距離よりも小さいため、支持本体２の側縁と架設フレーム３との間に通気路を設けることができ、通気性が高まる。
【００２７】
図４及び図５に示しているように、前記張材１を前記架設フレーム３に巻き掛けてその縁部を背面側に導き前記支持本体２に取着していれば、支持本体２の側縁と架設フレーム３との間隙２６、２７を張材１によって遮蔽し得る。即ち、背凭れ内部及び流路４３、ポンプ等を好適に隠蔽でき、家具としての美観が高まる。
【００２８】
前記張材１が、張材１に張力を加えるための部材を視認可能な程度の透視性を有しているため、張材１のどの部位に力が作用するのかを着座者が確認可能となる。これにより、背凭れの機能を直感的に着座者に理解させることができ、使い勝手の向上に資する。
【００２９】
なお、本発明は以上に詳述した実施形態に限られるものではない。特に、背凭れ内部の空間領域に配設する部材ないし機構は、流体袋には限定されない。張材を押圧しまたは引っ張るためのものであればよく、例えば、ランバーサポートベルトや、いわゆるマッサージチェアにおける「揉み玉」や揉み玉を駆動するメカ、モータまたはアクチュエータ等を配設することも考えられる。
【００３０】
その他各部の具体的構成は、本発明の趣旨を逸脱しない範囲で種々変形が可能である。
【図面の簡単な説明】
【００３１】
【図１】本発明の一実施形態の椅子の背凭れを正面側から見た斜視図。
【図２】同背凭れを背面側から見た斜視図。
【図３】同背凭れの平端面図。
【図４】本発明の一実施形態の椅子の背凭れを背面側から見た斜視図。
【図５】同背凭れの平端面図。
【符号の説明】
【００３２】
１…張材
２…支持本体
３…架設フレーム
３２、３３…左右に対をなすフレーム要素
４１、４２…流体袋（張材に力を加えるための部材）
【図１】
2009082528.tif 000003
【図２】
2009082528.tif 000004
【図３】
2009082528.tif 000005
【図４】
2009082528.tif 000006
【図５】
2009082528.tif 000007